(57)【要約】  上部に吸込口、下部に吹出口を有する本体と、本体内の上部に配置され、吸込口から吸い込んだ空気を吹出口に吹き出すプロペラファン組立体とを備え、プロペラファン組立体は、プロペラファンとプロペラファンを駆動するファンモーターとベルマウス体とを有し、ベルマウス体は、プロペラファンの周囲を囲む円筒状のベルマウス部と、ベルマウス部の中央部に配置されたファンモーター固定部と、ベルマウス部とファンモーター固定部とを連結する連結部と、プロペラファン組立体を取り付ける取付部とを有し、ファンモーターが、ベルマウス体のファンモーター固定部及びプロペラファンに固定されて一体化されており、プロペラファン組立体が、取付部にて３つ以上の防振部材を介して本体の被取付部材に取り付けられている。
2017022028.tif 000002
【特許請求の範囲】
【請求項１】
上部に吸込口、下部に吹出口を有する本体と、
前記本体内の上部に配置され、前記吸込口から吸い込んだ空気を前記吹出口に吹き出すプロペラファン組立体とを備え、
前記プロペラファン組立体は、
プロペラファンと前記プロペラファンを駆動するファンモーターとベルマウス体とを有し、
前記ベルマウス体は、前記プロペラファンの周囲を囲む円筒状のベルマウス部と、前記ベルマウス部の中央部に配置されたファンモーター固定部と、前記ベルマウス部と前記ファンモーター固定部とを連結する連結部と、前記プロペラファン組立体を取り付ける取付部とを有し、
前記ファンモーターが、前記ベルマウス体の前記ファンモーター固定部及び前記プロペラファンに固定されて一体化されており、
前記プロペラファン組立体が、前記取付部にて３つ以上の防振部材を介して前記本体の被取付部材に取り付けられている空気調和機のファンモーター防振構造。
【請求項２】
前記取付部は、前記防振部材と同数設けられ、前記ベルマウス部の上端開口側の端部から半径方向外側に向けて突出し、且つ、周方向に等ピッチで形成されており、
前記取付部のネジ挿通孔に前記防振部材のネジを通し、前記被取付部材にネジ留めすることで前記ベルマウス体と前記被取付部材とが固定されている請求項１記載の空気調和機のファンモーター防振構造。
【請求項３】
前記ベルマウス部は、上端開口側の端部から半径方向外側に向けて突出して形成されたフランジ部を有し、前記フランジ部と前記被取付部材との隙間に、この隙間をシールする環状のシール部材が配置されている請求項１又は請求項２記載の空気調和機のファンモーター防振構造。
【請求項４】
前記ベルマウス部は位置決め用突部を有し、前記被取付部材は前記位置決め用突部が嵌る窪みを有しており、前記プロペラファン組立体が前記被取付部材に対して正規の取り付け向きの姿勢にあるときに、前記位置決め用突部が前記窪みに嵌り込む請求項１〜請求項３の何れか一項に記載の空気調和機のファンモーター防振構造。
【請求項５】
前記被取付部材は、前記ベルマウス体の前記取付部を収納する取付収納凹部を備え、前記ベルマウス体の前記取付部が前記防振部材と共に取付収納凹部内に収まる請求項１〜請求項４の何れか一項に記載の空気調和機のファンモーター防振構造。
【請求項６】
前記ベルマウス体の前記連結部は、前記ファンモーター固定部の外周部から放射状に延びて前記ベルマウス部に連結して構成されている請求項１〜請求項５の何れか一項に記載の空気調和機のファンモーター防振構造。
【請求項７】
請求項１〜請求項６の何れか一項に記載の空気調和機のファンモーター防振構造を備えた空気調和機の室内機。
【発明の詳細な説明】
【技術分野】
【０００１】
本発明は、プロペラファンを備えた空気調和機のファンモーター防振構造及び空気調和機の室内機に関するものである。
【背景技術】
【０００２】
従来の空気調和機の室内機で、プロペラファンを本体上部に設置しているものがある（例えば、特許文献１参照）。
【先行技術文献】
【特許文献】
【０００３】
【特許文献１】特開２０１２−３７０８５号公報
【発明の概要】
【発明が解決しようとする課題】
【０００４】
特許文献１の空気調和機では、プロペラファンの回転の振動を抑制する点について何ら開示されておらず、プロペラファンの振動が本体に伝わって、騒音を発生するおそれがあった。【０００５】
一般的に振動を抑制するには、加振源周囲を防振する構造が有効である。このため、特許文献１の空気調和機では、プロペラファンを駆動するファンモーターの周囲を防振ゴムで囲み、その上で例えば室内機のケーシング等の被固定箇所に固定する構造が考えられる。【０００６】
しかし、プロペラファンを備えた空気調和機では、低騒音で送風性能の高いファンを構成する観点から、プロペラファンとプロペラファンの周囲を囲むベルマウスとの隙間をバラツキ無く一様にすることが求められている。このため、ファンモーター周囲を防振ゴムで囲んだ構造とした場合、防振ゴムではファンモーターの振動を完全に遮断することが可能となるわけではないことから、ファンモーターの振動がプロペラファンに伝わり、プロペラファンとベルマウスとの間の隙間が変化してバラツキが生じてしまうという問題があった。【０００７】
本発明は、上記の課題を解決するためになされたもので、プロペラファンの回転の振動があっても、プロペラファンとベルマウスとの隙間を一様に保ちつつ本体への振動の伝達を抑制することができ、また、騒音を抑制することが可能な空気調和機のファンモータ防振構造及び空気調和機の室内機を得るものである。
【課題を解決するための手段】
【０００８】
本発明に係る空気調和機のファンモータ防振構造は、上部に吸込口、下部に吹出口を有する本体と、本体内の上部に配置され、吸込口から吸い込んだ空気を吹出口に吹き出すプロペラファン組立体とを備え、プロペラファン組立体は、プロペラファンとプロペラファンを駆動するファンモーターとベルマウス体とを有し、ベルマウス体は、プロペラファンの周囲を囲む円筒状のベルマウス部と、ベルマウス部の中央部に配置されたファンモーター固定部と、ベルマウス部とファンモーター固定部とを連結する連結部と、取付部とを有し、ファンモーターが、ベルマウス体のファンモーター固定部及びプロペラファンに固定されて一体化されており、プロペラファン組立体が、取付部にて３つ以上の防振部材を介して本体の被取付部材に取り付けられているものである。【０００９】
本発明に係る空気調和機の室内機は、上記空気調和機のファンモータ防振構造を備えたものである。
【発明の効果】
【００１０】
本発明によれば、プロペラファンとファンモーターとベルマウス体とが一体化されたプロペラファン組立体を防振部材を介して被取付部材に取り付けるように構成したので、プロペラファンの回転の振動があっても、プロペラファンとベルマウスとの隙間を一様に保ちつつ本体への振動の伝達を抑制することができ、また、騒音を抑制することが可能である。
【図面の簡単な説明】
【００１１】
【図１】本発明の実施の形態１に係る空気調和機の室内機１００を示す縦断面図である。
【図２】本発明の実施の形態１に係る空気調和機の室内機１００を示す外観斜視図である。
【図３】本発明の実施の形態１に係る空気調和機の室内機１００上部の分解斜視図である。
【図４】本発明の実施の形態１に係る空気調和機の室内機１００背面側上部の概略縦断面図である。
【図５】図３のファン構造体１０１の分解斜視図である。
【図６】本発明の実施の形態１に係る空気調和機の室内機１００のプロペラファン組立体５０と取付枠１０の分解斜視図である。
【図７】本発明の実施の形態１に係る空気調和機の室内機１００のプロペラファン組立体５０の概略縦断面図である。
【図８】本発明の実施の形態１に係る空気調和機の室内機１００のプロペラファン２０の（ａ）平面図と、この平面図のＺ−Ｚで切断した、（ｂ）断面図とをまとめて示した図である。
【図９】本発明の実施の形態１に係る空気調和機の室内機１００のベルマウス体４０の（ａ）平面図と、この平面図のＺ−Ｚで切断した、（ｂ）断面図とをまとめて示した図である。
【図１０】本発明の実施の形態１に係る空気調和機の室内機１００のベルマウス体４０とファンモーター３０との組立部分の分解斜視図である。
【図１１】本発明の実施の形態１に係る空気調和機の室内機１００のプロペラファン組立体５０と取付枠１０との組立部分の分解斜視図である。
【図１２】本発明の実施の形態１に係る空気調和機の室内機１００のプロペラファン組立体５０に対する防振部材６０の取付を説明するための分解斜視図である。
【図１３】本発明の実施の形態１に係る空気調和機の室内機１００におけるプロペラファン組立体５０の取付枠１０への取付部分の断面図である。
【図１４】本発明の実施の形態１に係る空気調和機の室内機１００のプロペラファン組立体５０の取付枠１０への取付部分の概略断面図である。
【図１５】本発明の実施の形態１に係る空気調和機の室内機１００のプロペラファン組立体５０を下側から見た斜視図である。
【図１６】本発明の実施の形態１に係る空気調和機の室内機１００のプロペラファン組立体５０を取付枠１０に取り付けた状態の平面図である。
【発明を実施するための形態】
【００１２】
実施の形態１．
＜基本構成＞
図１は、本発明の実施の形態１に係る空気調和機の室内機１００を示す縦断面図である。また、図２は、本発明の実施の形態１に係る空気調和機の室内機１００を示す外観斜視図である。図３は、本発明の実施の形態１に係る空気調和機の室内機１００上部の分解斜視図である。なお、本実施の形態１では、図１の左側を室内機１００の前面側として説明する。以下、図１〜図３に基づいて、室内機１００の構成について説明する。
【００１３】
（全体構成）
この室内機１００は、冷媒を循環させる冷凍サイクルを利用することで、室内等の空調対象域に空調空気を供給するものである。室内機１００の本体１００ａは、室内壁面に固定される基台１と、基台１の前面に取り付けられた意匠パネル５とを有している。意匠パネル５の上面には、室内空気を内部に吸い込むための吸込口２が開口形成され、意匠パネル５の下面（より詳しくは、意匠パネル５の前面部下側）には、空調空気を空調対象域に供給するための吹出口３が開口形成されている。
【００１４】
本体１００ａ内の上部側にはファン構造体１０１が配置されている。ファン構造体１０１は、吸込口２から室内空気を吸い込み、吹出口３から空調空気を吹き出すファンであるプロペラファン２０を備えたプロペラファン組立体５０と、プロペラファン組立体５０の空気上流側に配置され、プロペラファン２０によって本体１００ａ内に吸い込まれる空気から塵埃を除去するフィルター組立体７０とを有し、これらが取付枠１０に取り付けられてユニット化された構成を有する。プロペラファン２０は、吸込口２の下流側でかつ、熱交換器９０の上流側に配設されており、例えば軸流ファン又は斜流ファン等で構成されている。
【００１５】
本体１００ａ内には更に、プロペラファン２０から吹出口３までの風路に配設され、冷媒と室内空気とで熱交換することで空調空気を作り出す熱交換器９０を有している。そして、これらの構成要素により本体１００ａ内に風路が形成されている。
【００１６】
そして、図３に示すように、取付枠１０の正面側と側面側とを覆うようにして、意匠パネル５が基台１に取り付けられる。なお、ここでは、ファン構造体１０１においてフィルター組立体７０及びプロペラファン組立体５０をそれぞれ２個配置した構成を例示したが、１個でも良いし、２個以上の複数個、配置してもよい。
【００１７】
次に、室内機１００における、ファン構造体１０１の配置を説明する。
【００１８】
図４は、本発明の実施の形態１に係る空気調和機の室内機１００の背面側上部の概略縦断面図である。
上記図３及び図４に示すように、基台１は、基台１の左右両側から前方に突出した左支持部１ａと右支持部１ｂとを有している。そして、取付枠１０の左右両側には下方に開放した凹状の左引っ掛け部１１ａと右引っ掛け部１１ｂとを有しており、左引っ掛け部１１ａ及び右引っ掛け部１１ｂを、左支持部１ａ及び右支持部１ｂとの上部に引っ掛けて載置することで、取付枠１０が基台１に支えられ、且つ、左右位置決めがなされてファン構造体１０１が基台１に取り付けられる。
【００１９】
次に、ファン構造体１０１の構成について説明する。
【００２０】
図５は、図３のファン構造体１０１の分解斜視図である。
ファン構造体１０１において、取付枠１０には、上下方向に貫通する収納穴１０ａがこの例では左右２箇所に形成されており、各収納穴１０ａにプロペラファン組立体５０が収納される。また、取付枠１０において上部側はフィルター組立体７０の設置空間となっており、取付枠１０の設置空間の前面側は、フィルター組立体７０の挿入口として開放されている。そして、取付枠１０の左右両端部及び後端部はレール形状に形成されている。以上の構成により、フィルター組立体７０は、設置空間の前面側から後方側に向かってレール形状に沿って押し入れられ、後端のレール形状の突当たりまで押し込まれることで、設置空間に収納される。
【００２１】
取付枠１０の中央部、すなわち各収納穴１０ａの間の部分は、上面が開いた溝形状をしており、この溝形状部分に、フィルター組立体７０に付着した塵埃を除去するブラシ組立体７１が収納される。そして、ブラシ組立体７１は、ブラシ前カバー７２を閉じることで溝形状部分に固定される。また、取付枠１０の右側には電気集塵を行う電気集塵部７３が配置されている。
【００２２】
次に、プロペラファン組立体５０の構成について説明する。
【００２３】
図６は、本発明の実施の形態１に係る空気調和機の室内機１００のプロペラファン組立体５０と取付枠１０の分解斜視図である。図７は、本発明の実施の形態１に係る空気調和機の室内機１００のプロペラファン組立体５０の概略縦断面図である。
プロペラファン組立体５０は、プロペラファン２０と、プロペラファン２０の周囲を囲んでプロペラファン２０への吸気と排気を滑らかに誘導するベルマウス体４０と、防振部材６０と、プロペラファン２０を駆動するファンモーター３０とを備えている。そして、プロペラファン組立体５０は、取付枠１０の収納穴１０ａに収納されて、防振部材６０の後述のネジ６０ａ（後述の図１２参照）により取付枠１０にネジ固定される。
【００２４】
図８は、本発明の実施の形態１に係る空気調和機の室内機１００のプロペラファン２０の（ａ）平面図と、この平面図のＺ−Ｚで切断した、（ｂ）断面図とをまとめて示した図である。
プロペラファン２０は、一端開口が閉塞された円筒形状の中央ボス部２０ａと、中央ボス部２０ａの外周面から、半径方向外側に向かって延びて形成された動翼部２０ｂとを備えている。中央ボス部２０ａの中心部にはファンモーター用の軸穴２０ｃが形成されている。
【００２５】
図９は、本発明の実施の形態１に係る空気調和機の室内機１００のベルマウス体４０の（ａ）平面図と、この平面図のＺ−Ｚで切断した、（ｂ）断面図とをまとめて示した図である。図１０は、本発明の実施の形態１に係る空気調和機の室内機１００のベルマウス体４０とファンモーター３０との組立部分の分解斜視図である。
ベルマウス体４０は、円筒状のベルマウス部４０ａと、ベルマウス部４０ａの中央部に設けられたファンモーター固定部４０ｂと、ベルマウス部４０ａとファンモーター固定部４０ｂとを連結する複数の連結部４０ｃとを有する。連結部４０ｃは、ファンモーター固定部４０ｂの外周部から放射状に延びて湾曲した後、ベルマウス部４０ａに接続されている。ファンモーター固定部４０ｂは図１０に示すように下端開口が閉じられた円筒形状を有し、外周面には、等ピッチでここでは３箇所にネジボス４０ｆが形成されている。
【００２６】
また、ベルマウス部４０ａの上端開口側は、半径方向外側に向けて突出してフランジ部４０ｄを形成している。フランジ部４０ｄの外周部には、半径方向外側に向けて突出して形成され、ネジ挿通孔を有する取付部４０ｅが周方向に等ピッチ間隔で複数形成されている。取付部４０ｅは、ここでは４つ形成されているが、４つに限られたものではなく３つ以上であればよい。また、ベルマウス部４０ａの外周部には、ファンモーター３０に電源を供給するためのリード５１（後述の図１５）を複数まとめて保持しつつ、ベルマウス部４０ａ外へ引き出すためのリード引き出し部４０ｈが形成されている。
【００２７】
そして、プロペラファン組立体５０の組み立ては、まず、図１０に示すように、ファンモーター３０とベルマウス体４０とを固定する。すなわち、ファンモーター３０のモーター本体３０ａの底面側をファンモーター固定部４０ｂに収納し、各ネジ３１を、モーター本体３０ａの外周に設けられた取付部３０ｂのネジ挿通穴に通し、ベルマウス体４０のネジボス４０ｆのネジ穴にネジ留めする。これにより、ファンモーター３０とベルマウス体４０とがネジ固定される。
【００２８】
そして、図７に示すように、プロペラファン２０の中央ボス部２０ａの軸穴２０ｃに、ファンモーター３０の軸３０ｃを貫通して突出させ、突出部分をナット２１を締める。これにより、プロペラファン２０とファンモーター３０とが固定される。
【００２９】
以上のようにして、プロペラファン２０、ベルマウス体４０及びファンモーター３０が固定され、プロペラファン組立体５０が構成される。
【００３０】
ここで、ベルマウス体４０は、ファンモーター固定部４０ｂとベルマウス部４０ａとが連結部４０ｃと共に一体化された構成を有しており、言い換えれば、ファンモーター固定部４０ｂに対するベルマウス部４０ａの位置が固定である。そして、ファンモーター３０はプロペラファン２０の中央ボス部２０ａと、ベルマウス体４０のファンモーター固定部４０ｂとによって上下が覆われた状態でプロペラファン２０及びベルマウス体４０に固定され、この固定部分においてファンモーター３０の周囲には防振ゴムは設けられていない。このため、プロペラファン２０とベルマウス部４０ａとの互いの位置は固定である。よって、ファンモーター周囲を防振ゴムで囲むようにした従来構造のように、プロペラファン２０とベルマウス部４０ａとの隙間にバラツキが生じる不都合を防止できる。
【００３１】
そして、ファンモーター３０から本体１００ａへの振動伝達を抑制するための防振を、プロペラファン組立体５０の、取付枠１０への取付部分で行う。以下、プロペラファン組立体５０の、取付枠１０への取付部分におけるファンモーター防振構造について説明する。
【００３２】
図１１は、本発明の実施の形態１に係る空気調和機の室内機１００のプロペラファン組立体５０と取付枠１０との組立部分の分解斜視図である。
取付枠１０は、収納穴１０ａの周囲に、ベルマウス体４０のフランジ部４０ｄを収納可能なフランジ収納凹部１０ｂを有している。また、フランジ収納凹部１０ｂの外周にはプロペラファン組立体５０の取付部４０ｅを収納する取付収納凹部１０ｃが、ベルマウス体４０の取付部４０ｅと同数の４つ形成されている。そして、収納穴１０ａにプロペラファン組立体５０を収納した状態において、プロペラファン組立体５０のフランジ部４０ｄがフランジ収納凹部１０ｂ内に収まり、また、取付部４０ｅが防振部材６０と共に取付収納凹部１０ｃ内に収まるようになっている。この構成により、空気抵抗を低減することができる。
【００３３】
そして、取付枠１０の収納穴１０ａに収納されたプロペラファン組立体５０は防振部材６０を介して取付枠１０に固定されている。以下、防振部材６０の構成について図１２を参照して説明する。
【００３４】
図１２は、本発明の実施の形態１に係る空気調和機の室内機１００のプロペラファン組立体５０に対する防振部材６０の取り付けを説明するための分解斜視図である。図１３は、本発明の実施の形態１に係る空気調和機の室内機１００におけるプロペラファン組立体５０の取付枠１０への取付部分の断面図である。図１４は、本発明の実施の形態１に係る空気調和機の室内機１００のプロペラファン組立体５０の取付枠１０への取付部分の概略断面図である。
【００３５】
防振部材６０は、ネジ６０ａと、座金６０ｂと、スペーサー６０ｃと、ゴム６０ｄとの組合せで構成される。ゴム６０ｄはプロペラファン組立体５０の取付部４０ｅのネジ挿通穴の内面に取り付けられる。具体的には、ゴム６０ｄは全体として円筒形状に形成されており、軸方向の上方側端部の外周面に、半径方向外側に向かって突出する２つの円盤部６０ｂａ、６０ｂｂが軸方向に間隔を空けて形成されている。そして、その２つの円盤部６０ｂａ、６０ｂｂの間の隙間に取付部４０ｅを挟むことで、ゴム６０ｄが取付部４０ｅに取り付けられている。
【００３６】
また、ゴム６０ｄの内側には円筒形状のスペーサー６０ｃが挿入されている。スペーサー６０ｃはゴム６０ｄよりも長く形成されており、スペーサー６０ｃ及びゴム６０ｄは共に下端が取付収納凹部１０ｃの底面１０ｃａに接触していることから、スペーサー６０ｃの上端は、ゴム６０ｄの上端よりも上方に突出している。そして、ゴム６０ｄよりも上方に突出したスペーサー６０ｃの上端に座金６０ｂが配置されている。
【００３７】
取付収納凹部１０ｃの底面１０ｃａにはネジボス１０ｃｂが下方に突出して設けられており、ネジ６０ａを座金６０ｂ及びスペーサー６０ｃに挿通させてネジボス１０ｃｂにネジ留めする。これにより、ベルマウス体４０と取付枠１０とがネジ留め固定される。
【００３８】
このように、ネジ６０ａをネジボス１０ｃｂにネジ留めした状態において、座金６０ｂは、スペーサー６０ｃには接するが、ゴム６０ｄとは接触せずにゴム６０ｄとの間に上部隙間６０ｅを有している。また、ゴム６０ｄの下方側の円盤部６０ｂｂは取付収納凹部１０ｃとの間に下部隙間６０ｆを有している。
【００３９】
この構成により、ベルマウス体４０引いてはプロペラファン組立体５０は、ゴム６０ｄのみによって支持され、取付枠１０に直接接触しない。このため、ファンモーター３０の回転によるプロペラファン２０の振動が、取付枠１０を介して本体１００ａに伝わることを防止できる。なお、ここでは、プロペラファン組立体５０を取付枠１０に取り付けた上で本体１００ａに取り付ける構造としていることから、プロペラファン組立体５０の被取付部材が取付枠１０である例を示したが、被取付部材は取付枠１０に限られず、本体１００ａ内の構造に応じて適宜選択できる。
【００４０】
また、フランジ部４０ｄの下面には図１３及び図１４に示すように環状のシール部材４１が配置されており、吸込口２から吸い込まれた空気がベルマウス部４０ａ内に流入せずにベルマウス部４０ａ外に漏れるのを防止するようにしている。
【００４１】
ベルマウス部４０ａの内側に流入した空気はプロペラファン２０に吸い込まれ、熱交換器９０に向かう気流となるが、ベルマウス部４０ａの外側に漏れた空気は熱交換器９０に向かわない可能性があり、熱交換効率の低下を招く。このため、シール部材４１を設けてベルマウス部４０ａのフランジ部４０ｄと取付枠１０との隙間を塞ぎ、空気が漏れないようにしている。なお、このようにシール部材４１を設けることで、ベルマウス部４０ａと取付枠１０とがシール部材４１を介して接触することになるが、シール部材４１は圧縮荷重の小さいもの、例えばＥＰＤＭ混合物の発泡体等で構成されており、ベルマウス部４０ａの振動がシール部材４１を介して取付枠１０に伝わることはない。
【００４２】
図１５は、本発明の実施の形態１に係る空気調和機の室内機１００のプロペラファン組立体５０を下側から見た斜視図である。図１６は、本発明の実施の形態１に係る空気調和機の室内機１００のプロペラファン組立体５０を取付枠１０に取り付けた状態の平面図である。
【００４３】
プロペラファン組立体５０のファンモーター３０には、ファンモーター３０に電源を供給するためのリード５１が接続されている。リード５１は、プロペラファン組立体５０のファンモーター固定部４０ｂの底面から外方へと引き出され、ベルマウス体４０の連結部４０ｃに沿って引き回され、プロペラファン組立体５０の側方へと引き出される。連結部４０ｃの下面（図１５においては上面）は、リード５１を連結部４０ｃに沿わせるためのカバー５２で覆われており、カバー５２と連結部４０ｃの下面との間にリード５１が収納されてリード５１がたるまないように構成されている。そして、リード５１は、ベルマウス部４０ａの外周部に設けられたリード引き出し部４０ｈからプロペラファン組立体５０の側方へと引き出されるようになっている。
【００４４】
プロペラファン組立体５０の側方へと引き出されたリード５１は、図１６に示すように、取付枠１０に設けられたリード支持部１２に通されるようになっている。なお、図１５及び図１６では、図示の都合上、リード５１の本数を３本示しているが、リード５１の本数はこの本数に限られたものではない。
【００４５】
このようなリード５１の引き回しの関係から、プロペラファン組立体５０の取付枠１０に対する正規の取付向きが決められている。具体的には、図１６に示すようにプロペラファン組立体５０のリード引き出し部４０ｈがリード支持部１２の近くに位置する向きとなる。組み立て時に、この正規の取付向きの姿勢でプロペラファン組立体５０を取付枠１０に取り付けることができるように、ベルマウス体４０にはフランジ部４０ｄから外方に突出した位置決め用突部４０ｇが設けられ、取付枠１０には位置決め用突部４０ｇが嵌る窪み１０ｄが形成されている。この構成により、位置決め用突部４０ｇが窪み１０ｄに嵌まり込むことで、取付枠１０に対するプロペラファン組立体５０の取り付け向きを図１６に示した正規の取り付け向きに位置決めすることができる。
【００４６】
以上説明したように、本実施の形態１によれば、プロペラファン２０とファンモーター３０とベルマウス体４０とが一体化されたプロペラファン組立体５０を３つ以上の防振部材６０を用いて被取付部材である取付枠１０に取り付ける構造とした。このため、プロペラファン２０の回転振動があっても、プロペラファン２０とベルマウス部４０ａとの隙間を、バラツキ無く一様に保ちつつ、取付枠１０への振動の伝達を抑制することができる。また、振動伝達の抑制が可能となることで、騒音の発生を抑制することが可能である。
【００４７】
また、ベルマウス部４０ａのフランジ部４０ｄの裏面に環状のシール部材４１を配置したので、吸込口２から吸い込まれた空気がベルマウス部４０ａ内に流入せずにベルマウス部４０ａ外に漏れるのを防止できる。その結果、熱交換器９０を通過する空気の流量が低下することを抑制でき、熱交換効率の低下を抑制できる。
【００４８】
また、ベルマウス部４０ａに位置決め用突部４０ｇを設けると共に、取付枠１０に位置決め用突部４０ｇが嵌る窪み１０ｄを設けたので、プロペラファン組立体５０を、リード５１の引き回しを考慮した正規の取付向きで簡単に取り付けることができる。
【００４９】
また、ベルマウス体４０の取付部４０ｅが防振部材６０と共に取付収納凹部１０ｃ内に収まるため、取付部４０ｅ及び防振部材６０が空気抵抗となることを防止することができる。
【符号の説明】
【００５０】
１  基台、１ａ  左支持部、１ｂ  右支持部、２  吸込口、３  吹出口、５  意匠パネル、１０  取付枠、１０ａ  収納穴、１０ｂ  フランジ収納凹部、１０ｃ  取付収納凹部、１０ｃａ  底面、１０ｃｂ  ネジボス、１０ｄ  窪み、１１ａ  左引っ掛け部、１１ｂ  右引っ掛け部、１２  リード支持部、２０  プロペラファン、２０ａ  中央ボス部、２０ｂ  動翼部、２０ｃ  軸穴、２１  ナット、３０  ファンモーター、３０ａ  モーター本体、３０ｂ  取付部、３０ｃ  軸、３１  ネジ、４０  ベルマウス体、４０ａ  ベルマウス部、４０ｂ  ファンモーター固定部、４０ｃ  連結部、４０ｄ  フランジ部、４０ｅ  取付部、４０ｆ  ネジボス、４０ｇ  位置決め用突部、４０ｈ  リード引き出し部、４１  シール部材、５０  プロペラファン組立体、５１  リード、５２  カバー、６０  防振部材、６０ａ  ネジ、６０ｂ  座金、６０ｂａ  円盤部、６０ｂｂ  円盤部、６０ｃ  スペーサー、６０ｄ  ゴム、６０ｅ  上部隙間、６０ｆ  下部隙間、７０  フィルター組立体、７１  ブラシ組立体、７２  ブラシ前カバー、７３  電気集塵部、９０  熱交換器、１００  室内機、１００ａ  本体、１０１  ファン構造体。
【図１】
2017022028.tif 000003
【図２】
2017022028.tif 000004
【図３】
2017022028.tif 000005
【図４】
2017022028.tif 000006
【図５】
2017022028.tif 000007
【図６】
2017022028.tif 000008
【図７】
2017022028.tif 000009
【図８】
2017022028.tif 000010
【図９】
2017022028.tif 000011
【図１０】
2017022028.tif 000012
【図１１】
2017022028.tif 000013
【図１２】
2017022028.tif 000014
【図１３】
2017022028.tif 000015
【図１４】
2017022028.tif 000016
【図１５】
2017022028.tif 000017
【図１６】
2017022028.tif 000018
【国際調査報告】
2017022028.tif 000019
2017022028.tif 000020
2017022028.tif 000021
2017022028.tif 000022